(57)【要約】【課題】画像表示装置の設定を調整する際に、作業の手間を軽減し、他の画像表示装置又は以前の画像表示装置と同等の設定内容に調整することができる画像調整システム及び画像表示装置を提供する。【解決手段】画像表示装置１は、表示すべき画像の表示状態を規定する設定情報を記憶部１３で記憶しており、通信インタフェース１７を介して接続された情報処理装置２が設定情報を記憶部１３から読み出し、情報処理装置２で設定情報の内容を変更し、内容を変更した設定情報を記憶部１３へ戻す。使用者は、設定情報の内容を変更できる情報処理装置２を使用することで、画像表示装置１の設定内容を調整できる。他の画像表示装置から読み出した設定情報又は以前に読み出しておいた設定情報を記憶部１３で記憶することにより、画像表示装置１は、他の画像表示装置又は以前の画像表示装置１と同等の設定内容に調整される。【選択図】図２
2007323011.tif 000002
【特許請求の範囲】
【請求項１】
画像表示装置と、該画像表示装置に接続された情報処理装置とを含み、前記画像表示装置が表示する画像を調整する画像調整システムにおいて、
前記画像表示装置は、
表示すべき画像の表示状態を規定する設定情報を記憶する記憶手段と、
該記憶手段が記憶する前記設定情報に従った画像を表示する手段とを備え、
前記情報処理装置は、
前記記憶手段から前記設定情報を読み出す手段と、
該手段が読み出した前記設定情報の内容を変更する手段と、
該手段が内容を変更した前記設定情報を前記画像表示装置へ送信する手段と
を備え、
前記画像表示装置は、更に、
前記情報処理装置から受信した前記設定情報を前記記憶手段に記憶させる手段を備えること
を特徴とする画像調整システム。
【請求項２】
前記画像表示装置は、更に、
前記記憶手段が記憶する前記設定情報に従った画像を表すデータを前記情報処理装置へ送信する手段を備え、
前記情報処理装置は、更に、
前記画像表示装置から受信した前記データが表す画像を表示する手段を備えること
を特徴とする請求項１に記載の画像調整システム。
【請求項３】
表示すべき画像の表示状態を規定する設定情報を記憶する記憶手段と、
該記憶手段が記憶する前記設定情報に従った画像を表示する手段と、
外部の装置から前記設定情報の読み出し要求を受け付けた場合に、前記外部の装置に前記記憶手段から前記設定情報を読み出させる手段と
を備えることを特徴とする画像表示装置。
【請求項４】
外部の装置から他の前記設定情報を受信する手段と、
該手段が受信した前記設定情報を前記記憶手段に記憶させる手段と
を更に備えることを特徴とする請求項３に記載の画像表示装置。
【請求項５】
前記記憶手段が記憶する前記設定情報に従った画像を表すデータを外部の装置へ送信する手段を更に備えることを特徴とする請求項３又は４に記載の画像表示装置。
【発明の詳細な説明】
【技術分野】
【０００１】
本発明は、プロジェクタ又はディスプレイ等の画像表示装置が表示する画像を調整する画像調整システム及び画像表示装置に関する。
【背景技術】
【０００２】
従来、液晶ディスプレイ、プラズマディスプレイ又はプロジェクタ等、外部から画像データを受け付け、受け付けた画像データに基づいた画像を表示することができる各種の画像表示装置が普及している。これらの画像表示装置は、画像データに基づいて表示すべき画像のゲイン、色の表現方法、色温度及び各色毎のガンマ値等の状態を設定しており、設定内容に従った画像を表示する。通常、画像表示装置の設定内容は、作業員又は使用者が画像表示装置を操作することによって調整することが可能であり、設定内容を調整することによって、画像表示装置は製品仕様に沿った画像又は使用者の好みに合った画像を表示することができる。
【０００３】
また、パーソナルコンピュータ（ＰＣ）又は音楽プレーヤ等のある種の電子機器は、半導体メモリ又はハードディスク等の記憶部と、ＵＳＢ（Universal Serial Bus）又はＬＡＮ（Local Area Network）等によりデータを入出力する入出力インタフェースを備える。この電子機器には、記憶部で記憶するデータを入出力インタフェースを用いて外部の他の電子機器へ出力することができるものがある。特許文献１には、マニュアルのデータを機器の内部に記憶しておき、ＵＳＢを用いて機器からマニュアルのデータをＰＣ等の他の装置へ出力することを可能とする技術が開示されている。
【特許文献１】特開２０００−２５９２７９号公報
【発明の開示】
【発明が解決しようとする課題】
【０００４】
従来の画像表示装置では、設定内容を調整するために必要な情報を表示し、画像表示装置が備えるスイッチ等を作業員又は使用者が操作することによって設定内容を調整する。しかしながら、スイッチの配置等のデザイン又は設定内容を調整するための操作手順等は画像表示装置の種類によって異なり、特に多くの画像表示装置を調整する必要がある作業員にとっては、設定内容を調整する作業に手間が掛かるという問題がある。また複数の画像表示装置で、設定内容が互いに同等になるように調整することが困難であるという問題がある。
【０００５】
また、近年の画像表示装置の内部構成はユニット化されており、故障した画像表示装置を修理する場合には、故障した部分を含むユニットを交換することが多い。このとき設定内容を記録したメモリを含むユニットが交換されることがあり、修理の後には設定内容の調整を再度行う必要がある。しかしながら、修理前の設定内容は失われているので、修理前の設定内容を忠実に再現することは困難であるという問題がある。
【０００６】
本発明は、斯かる事情に鑑みてなされたものであって、その目的とするところは、設定内容を表す設定情報を記憶し、ＰＣ等の外部の装置で設定情報の読み出し及び書き込みを可能とすることにより、作業の手間を軽減し、他の画像表示装置又は以前の画像表示装置と同等の設定内容に調整することができる画像調整システム及び画像表示装置を提供することにある。
【課題を解決するための手段】
【０００７】
本発明に係る画像調整システムは、画像表示装置と、該画像表示装置に接続された情報処理装置とを含み、前記画像表示装置が表示する画像を調整する画像調整システムにおいて、前記画像表示装置は、表示すべき画像の表示状態を規定する設定情報を記憶する記憶手段と、該記憶手段が記憶する前記設定情報に従った画像を表示する手段とを備え、前記情報処理装置は、前記記憶手段から前記設定情報を読み出す手段と、該手段が読み出した前記設定情報の内容を変更する手段と、該手段が内容を変更した前記設定情報を前記画像表示装置へ送信する手段とを備え、前記画像表示装置は、更に、前記情報処理装置から受信した前記設定情報を前記記憶手段に記憶させる手段を備えることを特徴とする。
【０００８】
本発明に係る画像調整システムは、前記画像表示装置は、更に、前記記憶手段が記憶する前記設定情報に従った画像を表すデータを前記情報処理装置へ送信する手段を備え、前記情報処理装置は、更に、前記画像表示装置から受信した前記データが表す画像を表示する手段を備えることを特徴とする。
【０００９】
本発明に係る画像表示装置は、表示すべき画像の表示状態を規定する設定情報を記憶する記憶手段と、該記憶手段が記憶する前記設定情報に従った画像を表示する手段と、外部の装置から前記設定情報の読み出し要求を受け付けた場合に、前記外部の装置に前記記憶手段から前記設定情報を読み出させる手段とを備えることを特徴とする。
【００１０】
本発明に係る画像表示装置は、外部の装置から他の前記設定情報を受信する手段と、該手段が受信した前記設定情報を前記記憶手段に記憶させる手段とを更に備えることを特徴とする。
【００１１】
本発明に係る画像表示装置は、前記記憶手段が記憶する前記設定情報に従った画像を表すデータを外部の装置へ送信する手段を更に備えることを特徴とする。
【００１２】
本発明においては、画像表示装置は、表示すべき画像の表示状態を規定する設定情報を記憶しており、画像表示装置に接続された情報処理装置が画像表示装置から設定情報を読み出し、設定情報の内容を情報処理装置で変更し、内容を変更した設定情報を情報処理装置から画像表示装置へ戻す。画像表示装置の使用者、及び画像表示装置を調整する作業者は、設定情報の内容を変更することができるエディタ等のアプリケーションを実行する情報処理装置を使用することによって、画像表示装置が所望の画像を表示できるように画像表示装置の設定内容を調整することができる。
【００１３】
また本発明においては、画像表示装置は、記憶している設定情報に従った画像を表すデータを外部の情報処理装置へ送信し、情報処理装置は、画像表示装置から受信したデータが表す画像を表示する。画像表示装置の使用者、及び画像表示装置を調整する作業者は、画像表示装置が表示すべき画像を確認しながら、画像表示装置の設定内容を調整することができる。
【発明の効果】
【００１４】
本発明にあっては、画像表示装置の使用者、及び画像表示装置を調整する作業者は、デザイン等が異なる複数種類の画像表示装置についても、情報処理装置を操作することによって、ほぼ同一の操作手順で手間を掛けずに画像表示装置の設定内容を調整することができる。また予め修理前の画像表示装置から設定情報を読み出して情報処理装置で記憶しておき、修理後の画像表示装置に設定情報を戻して記憶させることにより、画像表示装置の修理前の設定内容を再現することが可能となる。また情報処理装置が画像表示装置から読み出した設定情報を他の画像表示装置に送信して記憶させることにより、複数の画像表示装置の設定内容を同等に調整することが容易となる。
【００１５】
また本発明にあっては、使用者及び作業者は、情報処理装置を使用して設定情報の内容を調整する際に、設定情報の内容の調整に応じて画像表示装置が表示すべき画像の変化を確認しながら、より的確に画像表示装置の設定内容を調整することが可能となる等、本発明は優れた効果を奏する。
【発明を実施するための最良の形態】
【００１６】
以下本発明をその実施の形態を示す図面に基づき具体的に説明する。
図１は、本発明の画像調整システムの外観を示す模式図である。本発明の画像調整システムは、本発明の画像表示装置１と、ＰＣを用いた情報処理装置２とを含み、情報処理装置２は画像表示装置１に接続されている。画像表示装置１は、ＰＣ又は画像記録装置等の図示しない他の装置から送信される画像データを受信し、受信した画像データに基づいた画像を投影するプロジェクタである。
【００１７】
図２は、本発明の画像調整システムが含む本発明の画像表示装置１及び情報処理装置２の内部構成を示すブロック図である。画像表示装置１は、演算を行うプロセッサ、演算時に一時的に発生した情報を記憶するＲＡＭ等からなり、画像表示装置１全体の動作を制御する処理を行う制御処理部１１を備えている。制御処理部１１には、制御処理部１１が行う演算に必要な制御プログラムを記憶するＲＯＭ１２、及び不揮発性のメモリで構成された記憶部１３が接続されている。また制御処理部１１には、画像データに基づいて画像を生成する処理を行うプロセッサ、画像を形成する液晶パネル等の画像デバイス、光源、及び画像を投影するための光学系等からなり、画像データに基づいた画像を表示する処理を実行する画像処理部１４が接続されている。また制御処理部１１には、画像処理部１４が表示すべき画像を一時的に記憶する画像メモリ１５及び図示しない他の装置から送信される画像データを受信する受信部１６が接続されている。
【００１８】
制御処理部１１は、ＲＯＭ１２が記憶する制御プログラムに従って、画像処理部１４を動作させ、受信部１６が受信した画像データに基づいた画像を画像処理部１４により表示させる。記憶部１３は、画像データに基づいて画像処理部１４が表示すべき画像のゲイン、色の表現方法、色温度及び各色毎のガンマ値等の表示状態を規定した設定情報を記憶している。例えば、設定情報は、受信部１６が受信する画像データに含まれる画像の明るさを表す値と、実際に表示すべき画像の輝度との対応関係を規定する情報を含む。また例えば、設定情報は、画像に含まれる複数の色の夫々のガンマ値等を用いて、画像データに含まれる各色の強度を表す値と、実際に表示すべき画像に含まれる各色の輝度との対応関係を規定する情報を含む。画像処理部１４は、受信部１６が受信する画像データに基づいて生成して設定情報に従って調整した画像を表す画像データを画像メモリ１５に記憶し、記憶した画像データが表す画像を表示する処理を実行する。
【００１９】
本発明の画像表示装置１は、更に、ＵＳＢ又はＬＡＮ等によりデータを入出力する通信インタフェース１７を備えている。通信インタフェース１７に所定の通信線を装着されることにより、画像表示装置１は通信インタフェース１７を介して外部の装置が接続される。通信インタフェース１７は、外部との間でデータの入出力を行う処理を制御する図示しないコントローラを含んで構成されている。
【００２０】
情報処理装置２は、演算を実行するＣＰＵ２１と、演算の実行に伴った各種の情報を一時的に記憶するＲＡＭ２２と、ハードディスク又は不揮発性メモリでなる記憶部２３とを備えている。記憶部２３は、コンピュータプログラムを記憶しており、ＣＰＵ２１は、必要に応じてコンピュータプログラムを記憶部２３からＲＡＭ２２へロードし、ロードしたコンピュータプログラムに従って各種の処理を実行する。また情報処理装置２は、必要な情報を表示する液晶ディスプレイ等の表示部２４と、各種の処理指示を使用者の操作により受け付けるキーボード又はポインティングデバイス等の操作部２５とを備えている。更に情報処理装置２は、ＵＳＢ又はＬＡＮ等によりデータを入出力する通信インタフェース２６を備えている。画像表示装置１の通信インタフェース１７と情報処理装置２の通信インタフェース２６とが通信線で接続されることにより、情報処理装置２は画像表示装置１に接続される。
【００２１】
画像表示装置１の通信インタフェース１７は、情報処理装置２との間で通信を行い、情報処理装置２からのアクセス要求に従って、記憶部１３が記憶する設定情報に情報処理装置２がアクセスすることを可能にさせる機能を有する。例えば、通信インタフェース１７は、ＵＳＢのストレージクラスのデバイスであり、ＵＳＢホストである情報処理装置２との間で通信を行う。また画像表示装置１の制御処理部１１は、通信インタフェース１７が情報処理装置２から設定情報の読み出し要求を受け付けた場合に、通信インタフェース１７に、設定情報を情報処理装置２へ送信させる処理を行う。更に制御処理部１１は、通信インタフェース１７が情報処理装置２から設定情報を受信した場合に、受信した設定情報を記憶部１３に記憶させる処理を行う。
【００２２】
画像表示装置１の記憶部１３が記憶する設定情報は、テキストファイル等の、情報処理装置２で書き換え可能な形式のデータでなる。情報処理装置２は、通信インタフェース１７を介して画像表示装置１から設定情報を読み出し、読み出した設定情報を書き換え、書き換えた設定情報を画像表示装置１の記憶部１３に記憶させることで、画像表示装置１の設定内容を調整する処理を行う。図３は、情報処理装置２が画像表示装置１の設定内容を調整する処理の内容を示すフローチャートである。情報処理装置２のＣＰＵ２１は、記憶部２３からＲＡＭ２２へロードしたコンピュータプログラムに従って以下の処理を実行する。
【００２３】
情報処理装置２のＣＰＵ２１は、ファイル操作用のアプリケーションを実行し、通信インタフェース２６を介して画像表示装置１の記憶部１３にアクセスし、使用者による所定の操作を操作部２５で受け付けた場合に、設定情報の読み出し要求を通信インタフェース２６に画像表示装置１へ送信させる（Ｓ１１）。画像表示装置１は、情報処理装置２からの読み出し要求を通信インタフェース１７で受信し（Ｓ１２）、制御処理部１１は、記憶部１３で記憶している設定情報を通信インタフェース１７に情報処理装置２へ送信させる（Ｓ１３）。情報処理装置２は、設定情報を通信インタフェース２６で受信し（Ｓ１４）、ＣＰＵ２１は、エディタ等のアプリケーションを実行し、使用者からの操作に従って、受信した設定情報の内容を書き換える処理を行う（Ｓ１５）。このとき、ＣＰＵ２１は、エディタ等のアプリケーションを実行して設定情報の内容を表示部２４に表示し、表示部２４での表示内容を確認した使用者が操作部２５を操作することによって、設定情報の内容の変更指示を受け付け、受け付けた変更指示に従って設定情報の内容を変更して、設定情報を書き換える。
【００２４】
ＣＰＵ２１は、内容を変更した設定情報を通信インタフェース２６に画像表示装置１へ送信させる（Ｓ１６）。画像表示装置１は、情報処理装置２から送信された設定情報を通信インタフェース１７で受信し（Ｓ１７）、制御処理部１１は、受信した設定情報を記憶部１３に記憶させる（Ｓ１８）。このようにして、画像表示装置１は、情報処理装置２によって書き換えられた設定情報を記憶部１３で記憶し、これ以降、画像処理部１４は、書き換えられた設定情報に従って画像を表示する処理を実行する。
【００２５】
以上の処理により、情報処理装置２は、画像表示装置１の記憶部１３が記憶する設定情報の内容を変更することによって、画像表示装置１の設定内容を調整することができる。これにより、画像表示装置１の使用者、及び工場等で画像表示装置１を調整する作業者は、設定情報の内容を変更することができるエディタ等のアプリケーションを情報処理装置２で実行させることによって、画像表示装置１が所望の画像を表示することができるように画像表示装置１の設定内容を容易に調整することができる。特に、多くの画像表示装置１を調整する必要がある作業員は、デザイン等が異なる複数種類の画像表示装置１についても、情報処理装置２を操作することによって、ほぼ同一の操作手順で手間を掛けずに画像表示装置１の設定内容を調整することができる。
【００２６】
また情報処理装置２のＣＰＵ２１は、ステップＳ１４で設定情報を画像表示装置１から受信した際、又はステップＳ１５で設定情報を書き換えた際に、設定情報を記憶部２３に記憶させる処理を行うことが可能である。記憶部２３で記憶した設定情報は、必要時にＣＰＵ２１が通信インタフェース２６に画像表示装置１へ送信させる処理を行うことが可能である。即ち、故障した画像表示装置１を修理する場合には、情報処理装置２は、予め修理前の画像表示装置１から設定情報を読み出して記憶部２３で記憶しておき、記憶部２３で記憶している設定情報を修理後の画像表示装置１へ送信する処理を行うことができる。これによって、画像表示装置１は、修理前と同等の設定情報を記憶部１３で記憶することとなり、修理後の画像表示装置１の調整が容易となり、また画像表示装置１の修理前の設定内容を忠実に再現することが可能となる。
【００２７】
また情報処理装置２は、記憶部２３に記憶した設定情報を、複数の画像表示装置１へ送信する処理を行うことができる。これによって、複数の画像表示装置１，１，…が同一内容の設定情報を記憶部１３で記憶することが可能となる。従って、例えば複数の画像表示装置１，１，…が同様の色合いで画像を表示することができるように、複数の画像表示装置１，１，…の設定内容を同等に調整することが容易となる。例えば、複数の画像表示装置１，１，…を用い、各画像表示装置１が投影した画像を組み合わせて大画面で画像を表示する用途において、表示される画像内での色合いが均一になるように各画像表示装置１が表示する画像の色合いを統一して調整することが可能となる。
【００２８】
以上の実施の形態においては、情報処理装置２は、設定情報を書き換えることができるエディタ等の一般的なアプリケーションを利用する形態を示したが、これに限るものではなく、記憶部２３で記憶するコンピュータプログラムに含まれる専用のアプリケーションプログラムを実行することによって設定情報を書き換える処理を実行する形態であってもよい。また画像表示装置１は、情報処理装置２が設定情報を書き換える処理を行う際に、設定情報に従って表示すべき画像を情報処理装置２に表示させる処理を行う形態であってもよい。図４は、設定情報に従った画像を表示しながら情報処理装置２が画像表示装置１の設定内容を調整する処理の内容を示すフローチャートである。情報処理装置２のＣＰＵ２１は、記憶部２３に記憶するコンピュータプログラムに従って以下の処理を実行する。
【００２９】
画像表示装置１の設定内容を調整するためのアプリケーションプログラムが、情報処理装置２の記憶部２３が記憶するコンピュータプログラムに含まれており、ＣＰＵ２１は、このアプリケーションプログラムをＲＡＭ２２へロードして実行する。アプリケーションプログラムを実行したＣＰＵ２１は、通信インタフェース２６を介して画像表示装置１の記憶部１３にアクセスし、使用者による所定の操作を操作部２５で受け付けた場合に、設定情報の読み出し要求を通信インタフェース２６に画像表示装置１へ送信させる（Ｓ２０１）。画像表示装置１は、情報処理装置２からの読み出し要求を通信インタフェース１７で受信する（Ｓ２０２）。画像処理部１４は、受信部１６が外部から受信した画像データ又は記憶部１３若しくはＲＯＭ１２で記憶しているテスト用の画像データに基づいて、記憶部１３が記憶する設定情報に従って調整した画像を生成する（Ｓ２０３）。画像処理部１４は、生成した画像を表す画像データを画像メモリ１５に記憶させる。制御処理部１１は、画像メモリ１５が記憶する画像データ及び記憶部１３が記憶する設定情報を通信インタフェース１７に情報処理装置２へ送信させる（Ｓ２０４）。
【００３０】
情報処理装置２は、画像データ及び設定情報を通信インタフェース２６で受信し（Ｓ２０５）、ＣＰＵ２１は、受信した画像データが表す画像、及び設定情報を書き換えることによって画像表示装置１の設定内容を調整するための指示を受け付ける調整画面を表示部２４に表示させる（Ｓ２０６）。図５は、画像表示装置１から受信した画像データが表す画像及び調整画面の表示例を示す模式図である。図中に示した表示例には、画像表示装置１でのテスト用の画像と、画像中に含まれるＲ（赤）、Ｇ（緑）及びＢ（青）の各色の強度を調整するための調整画面とを示す。使用者は、表示部２４に表示された表示画面を確認し、マウス等の操作部２５を操作することによって、画像中に含まれるＲＧＢの各色の強度を変更することを指示する変更指示を情報処理装置２へ入力することができる。
【００３１】
ＣＰＵ２１は、図５に示す如き表示画面を表示部２４に表示させた状態で、使用者が操作部２５を操作することによる変更指示の受付を待ち受ける（Ｓ２０７）。変更指示を受け付けた場合は（Ｓ２０７：ＹＥＳ）、ＣＰＵ２１は、いずれかの色の強度を変更させる指示等の受け付けた変更指示に従って、画像表示装置１から受信した設定情報の内容を変更して、設定情報を書き換える処理を行い（Ｓ２０８）、書き換えた設定情報を通信インタフェース２６に画像表示装置１へ送信させる（Ｓ２０９）。
【００３２】
画像表示装置１は、情報処理装置２から送信された設定情報を通信インタフェース１７で受信し（Ｓ２１０）、制御処理部１１は、受信した設定情報を記憶部１３に記憶させる（Ｓ２１１）。画像処理部１４は、新たに記憶部１３が記憶した設定情報に従って画像を生成し（Ｓ２１２）、生成した画像を表す画像データを画像メモリ１５に記憶させる。制御処理部１１は、画像メモリ１５が新たに記憶した画像データを通信インタフェース１７に情報処理装置２へ送信させる（Ｓ２１３）。
【００３３】
情報処理装置２は、画像表示装置１から新たに送信された画像データを通信インタフェース２６で受信し（Ｓ２１４）、ＣＰＵ２１は、処理をステップＳ２０６へ戻して、受信した画像データが表す画像及び調整画面を表示部２４に表示させる。即ち、情報処理装置２は、ステップＳ２０７で受け付けた変更指示に応じていずれかの色の強度等が変更された画像を表示部２４に表示する。ステップＳ２０７〜ステップＳ２１４の処理を情報処理装置２及び画像表示装置１で繰り返すことにより、情報処理装置２を操作する使用者は、画像表示装置１が表示すべき画像の変化を表示部２４で確認しながら、画像表示装置１の設定内容を調整することができる。
【００３４】
ステップＳ２０７で変更指示の受付がない場合は（Ｓ２０７：ＮＯ）、情報処理装置２のＣＰＵ２１は、使用者が操作部２５を操作することによる終了指示の受付を待ち受ける（Ｓ２１５）。終了指示の受付がない場合は（Ｓ２１５：ＮＯ）は、ＣＰＵ２１は、処理をステップＳ２０７へ戻す。終了指示を受け付けた場合は（Ｓ２１５：ＹＥＳ）、ＣＰＵ２１は、処理を終了する。このとき、画像表示装置１の記憶部１３には、以上の処理によって内容が変更された設定情報が記憶されている。
【００３５】
以上の処理によっても、情報処理装置２は、画像表示装置１の記憶部１３が記憶する設定情報の内容を変更することによって、画像表示装置１の設定内容を調整することができる。使用者は、設定内容の調整に応じて、画像表示装置１が表示すべき画像の変化を確認しながら、より的確に画像表示装置１の設定内容を調整することが可能となる。
【００３６】
なお、本実施の形態においては、本発明の画像表示装置１がプロジェクタである例を示したが、これに限るものではなく、液晶ディスプレイ等のディスプレイの形態であってもよい。また画像表示装置１が備える通信インタフェース１７及び情報処理装置２が備える通信インタフェース２６の例として、ＵＳＢのデバイスである例を示したが、これに限るものではなく、ＩＥＥＥ１３９４等のその他の形態の通信インタフェースであっても良い。
【図面の簡単な説明】
【００３７】
【図１】本発明の画像調整システムの外観を示す模式図である。
【図２】本発明の画像調整システムが含む本発明の画像表示装置及び情報処理装置の内部構成を示すブロック図である。
【図３】情報処理装置が画像表示装置の設定内容を調整する処理の内容を示すフローチャートである。
【図４】設定情報に従った画像を表示しながら情報処理装置が画像表示装置の設定内容を調整する処理の内容を示すフローチャートである。
【図５】画像表示装置から受信した画像データが表す画像及び調整画面の表示例を示す模式図である。
【符号の説明】
【００３８】
１  画像表示装置
１１  制御処理部
１３  記憶部
１７  通信インタフェース
２  情報処理装置
２１  ＣＰＵ
２３  記憶部
２６  通信インタフェース
【図１】
2007323011.tif 000003
【図２】
2007323011.tif 000004
【図３】
2007323011.tif 000005
【図４】
2007323011.tif 000006
【図５】
2007323011.tif 000007